(57)【要約】【課題】安全性の高い貸借仲介システム及び貸借仲介方法を提供すること。【解決手段】借り手側ＳＩＰ端末から第１のネットワーク１００を介して借り手情報が送信されると、借り手情報管理部５３１は借り手情報を借り手情報記憶部５４に記憶させる。貸し手側ＳＩＰ端末から第１のネットワーク１００を介して貸し手情報が送信されると、貸し手情報管理部５３２は貸し手情報を貸し手情報記憶部５５に記憶させる。借り手情報及び貸し手情報に含まれる加入者識別情報は匿名情報に変換され、情報公開処理部５３３は、変換された借り手情報及び貸し手情報をウェブサーバ６０へ送信して第２のネットワーク２００上に公開させる。マッチング制御部５３５は、貸し手情報に含まれる貸し付け条件と借り手情報に含まれる借り入れ条件を照合し、結果通知部５３７は、その照合結果を表す情報を借り手側及び貸し手側の各ＳＩＰ端末へ送信する。【選択図】      図２
2010278771.tif 000002
【特許請求の範囲】
【請求項１】
通信プロトコルとしてＳＩＰ（Session Initiation Protocol）を使用するネットワークであってかつ当該ネットワークに収容される複数のＳＩＰ端末に対し固有に割り当てられた加入者識別情報及び加入者個人情報を管理する加入者情報データベースが接続される第１のネットワークと、通信プロトコルとしてＩＰ（Internet Protocol）を使用しかつ情報公開サーバが接続される第２のネットワークにそれぞれ接続可能な貸借仲介システムであって、
前記加入者情報データベースで管理される各ＳＩＰ端末の加入者識別情報に対応付けてその加入者の匿名情報を記憶する匿名情報記憶手段と、
借り手側のＳＩＰ端末から前記第１のネットワークを介して送られる、借り手を特定する加入者識別情報及び借り入れ条件を含む借り手情報を受信し記憶する手段と、
貸し手側のＳＩＰ端末から前記第１のネットワークを介して送られる、貸し手を特定する加入者識別情報及び貸し付け条件を含む貸し手情報を受信し記憶する手段と、
前記記憶された借り手情報及び貸し手情報に含まれる加入者識別情報を前記匿名情報記憶手段をもとに匿名情報に変換し、この変換された借り手情報及び貸し手情報を前記情報公開サーバへ送信して公開させる手段と、
前記記憶された貸し手情報に含まれる貸し付け条件と前記借り手情報に含まれる借り入れ条件とを照合し、その照合結果を表す情報を当該借り手情報及び貸し手情報に含まれる加入者識別情報に基づいて借り手側及び貸し手側の各ＳＩＰ端末へ送信する手段と
を具備する貸借仲介システム。
【請求項２】
前記照合結果を、前記匿名情報記憶手段に記憶された匿名情報を付与して前記情報公開サーバへ送信して公開させる手段を、さらに具備する請求項１記載の貸借仲介システム。
【請求項３】
前記借り手情報及び貸し手情報の公開後に、前記借り手側のＳＩＰ端末との間及び貸し手側のＳＩＰ端末との間にそれぞれセッションを確立し、この確立された各セッション間を接続して前記匿名情報を用いた直接通信を可能にするメディアブリッジ手段
を、さらに具備する請求項１又は２記載の貸借仲介システム。
【請求項４】
前記メディアブリッジ手段は、
前記借り手側のＳＩＰ端末及び貸し手側のＳＩＰ端末との間でそれぞれ、前記直接通信を行うための時刻を予約設定する手段と、
前記予約設定された時刻に従い、前記借り手側のＳＩＰ端末との間及び貸し手側のＳＩＰ端末との間にそれぞれセッションを確立し、この確立された各セッション間を接続して前記匿名情報を用いた直接通信を可能にする手段と
を備える請求項３記載の貸借仲介システム。
【請求項５】
通信プロトコルとしてＳＩＰ（Session Initiation Protocol）を使用するネットワークであってかつ当該ネットワークに収容される複数のＳＩＰ端末に対し固有に割り当てられた加入者識別情報及び加入者個人情報を管理する加入者情報データベースが接続される第１のネットワークと、通信プロトコルとしてＩＰ（Internet Protocol）を使用しかつ情報公開サーバが接続される第２のネットワークにそれぞれ接続可能な貸借仲介システムを用いて実行される貸借仲介方法であって、
前記加入者情報データベースで管理される各ＳＩＰ端末の加入者識別情報に対応付けてその加入者の匿名情報を登録する過程と、
借り手側のＳＩＰ端末から前記第１のネットワークを介して送られる、借り手を特定する加入者識別情報及び借り入れ条件を含む借り手情報を受信し記憶する過程と、
貸し手側のＳＩＰ端末から前記第１のネットワークを介して送られる、貸し手を特定する加入者識別情報及び貸し付け条件を含む貸し手情報を受信し記憶する過程と、
前記記憶された借り手情報及び貸し手情報に含まれる加入者識別情報をそれぞれ、前記登録された匿名情報に変換する過程と、
前記変換された借り手情報及び貸し手情報を前記情報公開サーバへ送信して公開させる過程と、
前記記憶された貸し手情報に含まれる貸し付け条件と前記借り手情報に含まれる借り入れ条件とを照合する過程と、
前記照合結果を表す情報を、当該借り手情報及び貸し手情報に含まれる加入者識別情報に基づいて借り手側及び貸し手側の各ＳＩＰ端末へ送信する過程と
を具備する貸借仲介方法。
【請求項６】
前記照合結果を表す情報を、前記登録された匿名情報を付与して前記情報公開サーバへ送信して公開させる過程を、さらに具備する請求項５記載の貸借仲介方法。
【請求項７】
前記借り手情報及び貸し手情報の公開後に、前記借り手側のＳＩＰ端末との間及び貸し手側のＳＩＰ端末との間にそれぞれセッションを確立し、この確立された各セッション間をメディアブリッジ手段により接続して前記匿名情報を用いた直接通信を可能にする過程を、さらに具備する請求項５又は６記載の貸借仲介方法。
【請求項８】
前記直接通信を可能にする過程は、
前記借り手側のＳＩＰ端末及び貸し手側のＳＩＰ端末との間でそれぞれ、前記直接通信を行う時刻を予約設定する過程と、
前記予約設定された時刻に従い、前記借り手側のＳＩＰ端末との間及び貸し手側のＳＩＰ端末との間にそれぞれセッションを確立し、この確立された各セッション間を接続して前記匿名情報を用いた直接通信を可能にする過程と
を備える請求項７記載の貸借仲介方法。
【発明の詳細な説明】
【技術分野】
【０００１】
本発明は、通信網を介して貸借を成約させる貸借仲介システム及び貸借仲介方法に関する。
【背景技術】
【０００２】
国際電気通信連合（ＩＴＵ）等では、ＩＰネットワークを経てサービスが提供されるネットワークアーキテクチャを次世代ネットワーク（ＮＧＮ）として想定している。また、第三世代の移動ネットワークの標準化団体である３ＧＰＰは、ＩＰマルチメディアサブシステム（ＩＭＳ）の採用を決めており、ＩＭＳを用いたネットワークサービスの提供が検討されている。ＩＭＳについては例えば非特許文献１に詳しい記述がある。ＩＭＳはＩＰネットワーク上で電話の発着信を制御するためのプロトコルであるＳＩＰ（session initiation protocol）をベースとしており、ＳＩＰをベースとすることで、端末間のセッション制御や、帯域制御のための情報、認証情報、課金情報等のやりとりを行うことができる。ＳＩＰベースのＩＭＳでは、例えば電話番号のような端末固有のＩＤを利用して通信を行うことができ、基本的に偽装したユーザとして通信することはできない。また、プレゼンス機能によって、ユーザの現在のステータスを知ることができる。
【先行技術文献】
【非特許文献】
【０００３】
【非特許文献１】Miikka Poikselka, ”The IMS IP Multimedia Concepts and Services in the Mobile Domain” John Wiley & Sons, Ltd, 2004年発行
【発明の概要】
【発明が解決しようとする課題】
【０００４】
一方、インターネットのようなＩＰネットワークでは、ユーザに割り当てられるのはＩＰアドレスである。このため、例えばインターネットを介して個人間の金銭の貸し借りを成約させるサービスでは、ＩＰアドレスレベルでしかユーザを特定できず、個人認証が難しいという課題があった。
【０００５】
これに対して、事業者によって管理されているＳＩＰベースのＩＭＳにおいて貸し借りを成約させるサービスが行われれば、ユーザの端末まで特定することができ、安全性の向上が期待される。
本発明は、上記の事情を鑑みてなされたもので、事業者によって管理されている通信網を介した安全性の高い貸借仲介システム及び貸借仲介方法を提供することを目的とする。
【課題を解決するための手段】
【０００６】
本発明に係る貸借仲介システムは以下のような態様の構成とする。
（１）通信プロトコルとしてＳＩＰ（Session Initiation Protocol）を使用するネットワークであってかつ当該ネットワークに収容される複数のＳＩＰ端末に対し固有に割り当てられた加入者識別情報及び加入者個人情報を管理する加入者情報データベースが接続される第１のネットワークと、通信プロトコルとしてＩＰ（Internet Protocol）を使用しかつ情報公開サーバが接続される第２のネットワークにそれぞれ接続可能な貸借仲介システムであって、前記加入者情報データベースで管理される各ＳＩＰ端末の加入者識別情報に対応付けてその加入者の匿名情報を記憶する匿名情報記憶手段と、借り手側のＳＩＰ端末から前記第１のネットワークを介して送られる、借り手を特定する加入者識別情報及び借り入れ条件を含む借り手情報を受信し記憶する手段と、貸し手側のＳＩＰ端末から前記第１のネットワークを介して送られる、貸し手を特定する加入者識別情報及び貸し付け条件を含む貸し手情報を受信し記憶する手段と、前記記憶された借り手情報及び貸し手情報に含まれる加入者識別情報を前記匿名情報記憶手段をもとに匿名情報に変換し、この変換された借り手情報及び貸し手情報を前記情報公開サーバへ送信して公開させる手段と、前記記憶された貸し手情報に含まれる貸し付け条件と前記借り手情報に含まれる借り入れ条件とを照合し、その照合結果を表す情報を当該借り手情報及び貸し手情報に含まれる加入者識別情報に基づいて借り手側及び貸し手側の各ＳＩＰ端末へ送信する手段を具備する態様とする。  
この態様によれば、個人情報を公開することなく、貸し手に適した借り手を照合することができる。
【０００７】
（２）（１）の構成において、前記照合結果を、前記匿名情報記憶手段に記憶された匿名情報を付与して前記情報公開サーバへ送信して公開させる手段をさらに具備する態様とする。  
この態様によれば、個人情報以外の貸し手と借り手の照合結果も、公開することができる。
【０００８】
（３）（１）又は（２）の構成において、前記借り手情報及び貸し手情報の公開後に、前記借り手側のＳＩＰ端末との間及び貸し手側のＳＩＰ端末との間にそれぞれセッションを確立し、この確立された各セッション間を接続して前記匿名情報を用いた直接通信を可能にするメディアブリッジ手段をさらに具備する態様とする。  
この態様によれば、借り手と貸し手で直接通信して、互いの信用を確認することができる。
【０００９】
（４）（３）の構成において、前記メディアブリッジ手段は、前記借り手側のＳＩＰ端末及び貸し手側のＳＩＰ端末との間でそれぞれ、前記直接通信を行うための時刻を予約設定する手段と、前記予約設定された時刻に従い、前記借り手側のＳＩＰ端末との間及び貸し手側のＳＩＰ端末との間にそれぞれセッションを確立し、この確立された各セッション間を接続して前記匿名情報を用いた直接通信を可能にする手段とを備える態様とする。  
この態様によれば、借り手と貸し手の間の直接通信を予め予約しておくことができる。
【００１０】
また、本発明に係る貸借仲介方法は以下のような構成とする。
（５）通信プロトコルとしてＳＩＰ（Session Initiation Protocol）を使用するネットワークであってかつ当該ネットワークに収容される複数のＳＩＰ端末に対し固有に割り当てられた加入者識別情報及び加入者個人情報を管理する加入者情報データベースが接続される第１のネットワークと、通信プロトコルとしてＩＰ（Internet Protocol）を使用しかつ情報公開サーバが接続される第２のネットワークにそれぞれ接続可能な貸借仲介システムを用いて実行される貸借仲介方法であって、前記加入者情報データベースで管理される各ＳＩＰ端末の加入者識別情報に対応付けてその加入者の匿名情報を登録する過程と、借り手側のＳＩＰ端末から前記第１のネットワークを介して送られる、借り手を特定する加入者識別情報及び借り入れ条件を含む借り手情報を受信し記憶する過程と、貸し手側のＳＩＰ端末から前記第１のネットワークを介して送られる、貸し手を特定する加入者識別情報及び貸し付け条件を含む貸し手情報を受信し記憶する過程と、前記記憶された借り手情報及び貸し手情報に含まれる加入者識別情報をそれぞれ、前記登録された匿名情報に変換する過程と、前記変換された借り手情報及び貸し手情報を前記情報公開サーバへ送信して公開させる過程と、前記記憶された貸し手情報に含まれる貸し付け条件と前記借り手情報に含まれる借り入れ条件とを照合する過程と、前記照合結果を表す情報を、当該借り手情報及び貸し手情報に含まれる加入者識別情報に基づいて借り手側及び貸し手側の各ＳＩＰ端末へ送信する過程とを具備する態様とする。  
この態様によれば、個人情報を公開することなく、貸し手に適した借り手を照合することができる。
【００１１】
（６）（５）の構成において、前記照合結果を表す情報を、前記登録された匿名情報を付与して前記情報公開サーバへ送信して公開させる過程をさらに具備する態様とする。  
この態様によれば、個人情報以外の貸し手と借り手の照合結果も、公開することができる。
【００１２】
（７）（５）又は（６）の構成において、前記借り手情報及び貸し手情報の公開後に、前記借り手側のＳＩＰ端末との間及び貸し手側のＳＩＰ端末との間にそれぞれセッションを確立し、この確立された各セッション間をメディアブリッジ手段により接続して前記匿名情報を用いた直接通信を可能にする過程をさらに具備する態様とする。  
この態様によれば、借り手と貸し手で直接通信して、互いの信用を確認することができる。
【００１３】
（８）（７）の構成において前記直接通信を可能にする過程は、前記借り手側のＳＩＰ端末及び貸し手側のＳＩＰ端末との間でそれぞれ、前記直接通信を行う時刻を予約設定する過程と、前記予約設定された時刻に従い、前記借り手側のＳＩＰ端末との間及び貸し手側のＳＩＰ端末との間にそれぞれセッションを確立し、この確立された各セッション間を接続して前記匿名情報を用いた直接通信を可能にする過程とを備える態様とする。  
この態様によれば、借り手と貸し手の間の直接通信を予め予約しておくことができる。
【発明の効果】
【００１４】
本発明によれば、貸借仲介システムは、通信プロトコルとしてＳＩＰ（Session Initiation Protocol）を使用するネットワークであってかつ当該ネットワークに収容される複数のＳＩＰ端末に対し固有に割り当てられた加入者識別情報及び加入者個人情報を管理する加入者情報データベースが接続される第１のネットワークと、通信プロトコルとしてＩＰ（Internet Protocol）を使用しかつ情報公開サーバが接続される第２のネットワークにそれぞれ接続可能である。貸借仲介システムは、加入者情報データベースで管理される各ＳＩＰ端末の加入者識別情報に対応付けてその加入者の匿名情報を記憶する匿名情報記憶手段と、借り手側のＳＩＰ端末から前記第１のネットワークを介して送られる、借り手を特定する加入者識別情報及び借り入れ条件を含む借り手情報を受信し記憶する手段と、貸し手側のＳＩＰ端末から前記第１のネットワークを介して送られる、貸し手を特定する加入者識別情報及び貸し付け条件を含む貸し手情報を受信し記憶する手段を有し、借り手情報及び貸し手情報に含まれる加入者識別情報を匿名情報に変換し、この変換された借り手情報及び貸し手情報を前記情報公開サーバへ送信して公開させる。また、貸し手情報に含まれる貸し付け条件と借り手情報に含まれる借り入れ条件とを照合し、その照合結果を表す情報を当該借り手情報及び貸し手情報に含まれる加入者識別情報に基づいて借り手側及び貸し手側の各ＳＩＰ端末へ送信する。このため、借り手及び貸し手の個人情報を公開しない安全性の高い貸借仲介システムが構築される。
【図面の簡単な説明】
【００１５】
【図１】本発明の一実施形態に係る貸借仲介システムの概略を示す図。
【図２】ＳＩＰアプリケーションサーバの構成の詳細を示すブロック図。
【図３】借り手情報の登録処理及び借り手情報の公開処理の手順を示す図。
【図４】貸し手情報の登録処理及び貸し手情報の公開処理の手順を示す図。
【図５】マッチング処理、通信予約処理、直接通信処理、及び通信結果登録処理の手順を示す図。
【図６】結果通知処理、及び結果の公開処理の手順を示す図。
【発明を実施するための形態】
【００１６】
以下、図面を参照して本発明の実施の形態を詳細に説明する。
図１は、本発明の一実施形態に係る貸借仲介システムの概略を示す図である。このシステムは、貸し手と借り手の個人間（ピアツーピア：Ｐ２Ｐ）での金銭貸借の成約を仲介する。以下では、第１のユーザＵ１が金銭の借り手であり、第２のユーザＵ２が金銭の貸し手である例について説明する。図１では、第１のユーザＵ１一人が金銭の借り手として、また第２のユーザＵ２一人が貸し手として図示されているが、借り手及び貸し手は複数いてもよい。
【００１７】
この貸借仲介システムは、第１のネットワーク（ＩＭＳ網）１００及び第２のネットワーク（インターネット）２００の２つのネットワークを利用する。第１のネットワーク１００は、ＳＩＰ（session initiation protocol）に基づくＩＭＳネットワークである。ＳＩＰは、アプリケーション層で２つ以上の相手に対し、音声や映像、テキストメッセージの交換などを行うために必要なセッションの生成・変更・切断を行うプロトコルであり、第１のネットワーク１００では、このＳＩＰに基づいて通信が行われる。第１のネットワーク１００に接続する各端末には、それぞれの端末を識別するための固有の識別情報（電話番号又はＳＩＰ−ＵＲＬ）が割当てられる。第２のネットワーク２００は従来のインターネット等である。
【００１８】
ＰＣ１１は、金銭の借り手である第１のユーザＵ１が操作する通常のパーソナルコンピュータである。ＰＣ１１は、デスクトップコンピュータであってもモバイルコンピュータであってもよい。ＰＣ１１は、ＬＣＤ等のディスプレイ装置を備え、Ｗｅｂ閲覧機能を有する。
【００１９】
ＳＩＰ端末１２は、携帯型又は固定型のＩＰ電話機等の端末装置であり、第１のユーザＵ１によって操作される。ＳＩＰ端末１２はＳＩＰに基づく通信を行い、ＶｏＩＰ技術によってＩＰネットワークを介した音声通話を行うことができる。またＳＩＰ端末１２は、ネットワークを介して、データや映像による通信を行うこともできる。ＳＩＰ端末１２には、固有の識別ＩＤ（図１では、電話番号０３−１１１１−２２２２）が割当てられている。ＳＩＰ端末１２は、ＩＰ電話機に限らず、ＩＰ電話アダプタを介してＩＰネットワークに接続する電話機や、ＩＰ電話用のソフトウェアをインストールされたＰＣであってもよい。同一の端末装置内で、ＰＣ１１とＳＩＰ端末１２の機能が実現されてもよい。
【００２０】
ＰＣ２１は、金銭の貸し手である第２のユーザＵ２が操作する通常のパーソナルコンピュータである。ＰＣ２１は、デスクトップコンピュータであってもモバイルコンピュータであってもよい。ＰＣ２１は、ＬＣＤ等のディスプレイ装置を備え、Ｗｅｂ閲覧機能を有する。
【００２１】
ＳＩＰ端末２２は、携帯型又は固定型のＩＰ電話機等の端末装置であり、第２のユーザＵ２によって操作される。ＳＩＰ端末２２はＳＩＰに基づく通信を行い、ＶｏＩＰ技術によってＩＰネットワークを介した音声通話を行うことができる。またＳＩＰ端末２２は、ネットワークを介して、データや映像による通信を行うこともできる。ＳＩＰ端末２２には、固有の識別ＩＤ（図１では、電話番号０３−２２２２−３３３３）が割当てられている。ＳＩＰ端末２２は、ＩＰ電話機に限らず、ＩＰ電話アダプタを介してＩＰネットワークに接続する電話機や、ＩＰ電話用のソフトウェアをインストールされたＰＣであってもよい。同一の端末装置内で、ＰＣ２１とＳＩＰ端末２２の機能が実現されてもよい。
【００２２】
加入者データベース３０は、第１のネットワークに接続されたＨＳＳ（home subscriber server）である。加入者データベース３０は、第１のネットワークへの接続が許された端末の情報を格納している。加入者データベース３０には、例えば端末固有の識別情報（電話番号又はＳＩＰ−ＵＲＬ）、所有者の氏名、住所等の加入者情報が記憶されている。
【００２３】
匿名データベース４０は、第１のネットワーク１００に接続する端末の加入者識別情報（電話番号又はＳＩＰ−ＵＲＬ）に関連付けて、当該端末固有の匿名情報（特定の匿名をあらわす文字列）を格納している。加入者データベース３０に記憶された所有者の本名をそのまま表示しては安全性が確保できない恐れがある場合には、匿名データベース４０から対応する匿名情報が読み出されて表示される。この匿名情報は、端末の所有者が自ら設定してもよいが、匿名データベース４０の設置者、あるいは第１のネットワーク１００の設置者が設定してもよい。
【００２４】
ＳＩＰアプリケーションサーバ（ＳＩＰ−ＡＳ）５０は、第１のネットワーク１００に接続されている。ＳＩＰアプリケーションサーバ５０は、第１のネットワーク１００を介して、第１のユーザＵ１及び第２のユーザＵ２の間で貸借の成約を仲介する。
ウェブサーバ６０は、ＳＩＰアプリケーションサーバ５０及び第２のネットワーク２００に接続されている。ウェブサーバ６０は、ネットワーク２００を介してＷｅｂブラウザ等のクライアントからの要求を受け付け、要求されたファイル又はスクリプトをＨＴＴＰによってクライアントに供給する。
図１では、加入者データベース３０及び匿名データベース４０がＳＩＰアプリケーションサーバ５０の外部に設けられているが、これらのデータベースはＳＩＰアプリケーションサーバ５０に内蔵されていてもよい。また、ウェブサーバ６０の機能がＳＩＰアプリケーションサーバ５０に備えられてもよい。
【００２５】
図２は、ＳＩＰアプリケーションサーバ５０の構成の詳細を示すブロック図である。
ＳＩＰアプリケーションサーバ５０は、ＳＩＰ受信部５１、ＳＩＰ送信部５２、制御部５３、借り手情報記憶部５４、貸し手情報記憶部５５、ＳＯＡＰ／ＨＴＴＰ送信部５６、及びＳＯＡＰ／ＨＴＴＰ受信部５７を備えている。
【００２６】
ＳＩＰ受信部５１及びＳＩＰ送信部５２は、ＳＩＰに基づいて第１のネットワーク１００と通信するためのインタフェースである。ＳＩＰ受信部５１は、第１のネットワーク１００を介して送られてきたデータを受信する。また、ＳＩＰ送信部５２は、第１のネットワーク１００へデータを送信する。
【００２７】
制御部５３は、図示しないＣＰＵを有し、ＳＩＰアプリケーションサーバ５０の各ブロックの動作を制御する。制御部５３は、制御プログラム等が書きこまれたＲＯＭ、プログラム実行に必要なワークエリアを提供するためのＲＡＭ等を備えている。制御部５３は、この発明に係わる制御機能として、借り手情報管理部５３１、貸し手情報管理部５３２、情報公開処理部５３３、マッチング制御部５３４、通信予約処理部５３５、直接通信制御部５３６、及び結果通知部５３７を備えている。これらの機能は、いずれも上記制御プログラムを上記ＣＰＵに実行させることにより実現される。
【００２８】
借り手情報管理部５３１は、ＳＩＰ受信部５１を介して受信した金銭の借り手（図１に示す第１のユーザＵ１）の情報を、借り手情報記憶部５４に記憶させる。また、借り手情報に変更が生じた場合は、借り手情報記憶部５４の記憶内容を更新する。
貸し手情報管理部５３２は、ＳＩＰ受信部５１を介して受信した金銭の貸し手（図１に示す第２のユーザＵ２）の情報を、貸し手情報記憶部５５に記憶させる。また、貸し手情報に変更が生じた場合は、貸し手情報記憶部５５の記憶内容を更新する。
【００２９】
情報公開処理部５３３は、借り手情報、貸し手情報、及びマッチング制御部５３４によるマッチング処理結果等各種の情報を、ＳＯＡＰ／ＨＴＴＰ送信部５６を介してウェブサーバ６０に送信する。ウェブサーバ６０に送信された情報は、第２のネットワーク上で公開される。
【００３０】
マッチング制御部５３４は、借り手情報記憶部５４に記憶された借り手情報と貸し手情報記憶部５５に記憶された貸し手情報とを比較して、最適な借り手と貸し手の組み合わせを選択するマッチング（照合）処理を行う。
通信予約処理部５３５は、ＳＩＰのプレゼンス機能を利用して、貸し手と借り手の間の直接通信の予約を行う。また直接通信制御部５３６は、メディアブリッジ機能により、貸し手と借り手の間のＳＩＰレベルの直接通信を制御する。
【００３１】
結果通知部５３７は、マッチング制御部５３４によって選択された借り手と貸し手に、マッチングの結果を通知する。
貸し手情報記憶部５４は、ハードディスクドライブ等の記憶装置の所定の領域に備えられ、金銭の借り手（図１に示す第１のユーザＵ１）の情報を記憶する。貸し手情報記憶部５４は、ＳＩＰアプリケーションサーバ５０の外部に独立のデータベースとして設けられてもよい。借り手情報記憶部５５も同様に記憶装置の所定の領域に備えられ、金銭の貸し手（図１に示す第２のユーザＵ２）の情報を記憶する。借り手情報記憶部５５は、ＳＩＰアプリケーションサーバ５０の外部に独立のデータベースとして設けられてもよい。
【００３２】
ＳＯＡＰ／ＨＴＴＰ送信部５６及びＳＯＡＰ／ＨＴＴＰ受信５７は、ＳＯＡＰ又はＨＴＴＰに基づいてウェブサーバ６０と通信するためのインタフェースである。ＳＯＡＰ／ＨＴＴＰ送信部５６は、ウェブサーバ６０へのデータ送信に用いられる。ＳＯＡＰ／ＨＴＴＰ受信部５７は、ウェブサーバ６０から送られてきたデータを受信する。ここでは、ＳＩＰアプリケーションサーバ５０とウェブサーバ６０との間の通信プロトコルの例としてＳＯＡＰ又はＨＴＴＰを用いるとしたが、ＳＩＰアプリケーションサーバ５０とウェブサーバ６０との間の通信プロトコルはＳＯＡＰ又はＨＴＴＰに限定されず、他の通信プロトコルが用いられてもよい。
【００３３】
次に、上述の構成による貸借仲介システムの動作について説明する。図３〜図６は、この貸借仲介システムによって行われる貸借仲介処理を示すシーケンス図である。
まず図３を参照して、金銭の借り入れを希望する第１のユーザＵ１についての借り手情報の登録、及び登録された借り手情報の公開について説明する。図３は、借り手情報の登録処理Ｐ１、及び借り手情報の公開処理Ｐ２の手順を示す図である。
【００３４】
借り手情報の登録処理Ｐ１では、まず、第１のユーザＵ１によるＳＩＰ端末１２の操作に応じて、ＳＩＰ端末１２とＳＩＰアプリケーションサーバ５０との間にＳＩＰレベルのセッションが確立される（ステップＳ１１）。セッションが確立されると、ＳＩＰ端末１２とＳＩＰアプリケーションサーバ５０との間でデータ、音声、及び映像の通信が可能となる。
【００３５】
そして、ＳＩＰ端末１２からＳＩＰアプリケーションサーバ５０へ借り手情報が送信され、ＳＩＰアプリケーションサーバ５０では、借り手情報の登録が行われる（ステップＳ１２）。ここで、借り手情報には、ＳＩＰ端末１２固有の電話番号、第１のユーザＵ１がＳＩＰ端末１２を操作して入力した借入金額、いつまでに貸借を成約したいかの成約期限等の借入条件情報が含まれる。借り手情報は、借りた金銭の使用目的や返済予定等の情報を含んでもよい。ＳＩＰアプリケーションサーバ５０では、送られてきた借り手情報をＳＩＰ受信部５１が受信し、借り手情報管理部５３１に送る。借り手情報管理部５３１は、送られてきた借り手情報を借り手情報記憶部５４に記憶する。借り手情報記憶部５４が第１のユーザＵ１の借り手情報をすでに記憶している場合には、送信されてきた借り手情報によって記憶された情報を上書きして、借り手情報を修正することができる。ＳＩＰ端末１２からは、借り手情報記憶部５４に記憶されている借り手情報を削除する指示を送信することもでき、この場合には、借り手情報管理部５３１は借り手情報記憶部５４から情報を削除する。
【００３６】
借り手情報管理部５３１は、第１のネットワーク１００を介して匿名データベース４０にアクセスし、ＳＩＰ端末１２の電話番号に対応する匿名（図１の例では“ＸＸＸ”）を取得する（ステップＳ１３）。
借り手情報管理部５３１は、借り手情報の登録が終了したことを、ＳＩＰ送信部５２を介してＳＩＰ端末１２に通知する（ステップＳ１４）。この際に、借り手情報記憶部５４に記憶された借り手情報及び匿名データベース４０から読み出した匿名を、確認のためにＳＩＰ端末１２に送信してもよい。ＳＩＰ端末１２のユーザＵ１は、送信されてきた情報に基づいて、借り手情報が正しく登録されたかを確認することができる。
【００３７】
第１のユーザＵ１がＳＩＰ端末１２を操作して、登録された借り手情報に従った金額の借入申し込みを確定すると、ＳＩＰ端末１２からＳＩＰアプリケーションサーバ５０に申し込み確定指示が送信される（ステップＳ１５）。ＳＩＰアプリケーションサーバ５０では、ＳＩＰ受信部５１が確定指示を受信し、借り手情報管理部５３１に送る。借り手情報管理部５３１は、借り手情報記憶部５４に記憶された借り手情報にフラグをセットする等して、借り手情報を有効化して確定する。
【００３８】
有効化された借り手情報のうち公開可能な項目は、借り手情報の公開処理Ｐ２によって公開される。  
ＳＩＰアプリケーションサーバ５０の情報公開処理部５３３は、有効化された借り手情報のうち公開可能な項目を、ＳＯＡＰ／ＨＴＴＰ送信部５６を介してウェブサーバ６０に送信する（ステップＳ２１）。公開可能な項目としては、ＳＩＰ端末１２に対応する匿名、借入金額、成約期限、使用目的、返済予定等がある。安全性を確保するため、ＳＩＰ端末１２の所有者名、電話番号、住所等の個人情報は公開されなくてもよい。ウェブサーバ６０に送信された情報は、第２のネットワーク上に公開される。
【００３９】
第１のユーザＵ１は、ＰＣ１１によって第２のネットワークに接続し、公開された借り手情報を閲覧することができる（ステップＳ２２）。同様に、第２のユーザＵ２は、ＰＣ２１によって第２のネットワークに接続し、公開された借り手情報を閲覧することができる（ステップＳ２３）。公開された借り手情報は、ＰＣ１１及びＰＣ２１に限らず、第２のネットワークに接続された装置のブラウザから閲覧することもできる。  
以上のようにして、借り手情報の登録処理Ｐ１及び借り手情報の公開処理Ｐ２が行われる。
【００４０】
貸し手である第２のユーザＵ２は、第２のネットワーク上に公開された第１のユーザＵ１の借り手情報を閲覧し、貸付を申し出るか否かを判断する。第２のユーザＵ２が貸付を申し出る場合、第２のユーザＵ２についての貸し手情報の登録、及び登録された貸し手情報の公開が行われる。図４は、貸し手情報の登録処理Ｐ３、及び貸し手情報の公開処理Ｐ４の手順を示す図である。  
借り手情報の登録処理Ｐ３では、第２のユーザＵ２によるＳＩＰ端末２２の操作に応じて、ＳＩＰ端末２２とＳＩＰアプリケーションサーバ５０との間にＳＩＰレベルのセッションが確立される（ステップＳ３１）。セッションが確立されると、ＳＩＰ端末２２とＳＩＰアプリケーションサーバ５０との間でデータ、音声、及び映像の通信が可能となる。
【００４１】
そして、ＳＩＰ端末２２からＳＩＰアプリケーションサーバ５０へ貸し手情報が送信され、ＳＩＰアプリケーションサーバ５０では、貸し手情報の登録が行われる（ステップＳ３２）。ここで、貸し手情報には、ＳＩＰ端末２２固有の電話番号、第２のユーザＵ２がＳＩＰ端末２２を操作して入力した貸付金額と金利等の貸付条件情報が含まれる。貸し手情報は、貸し手Ｕ２が課す返済期限等の情報を含んでもよい。ＳＩＰアプリケーションサーバ５０では、送られてきた貸し手情報をＳＩＰ受信部５１が受信し、貸し手情報管理部５３２に送る。貸し手情報管理部５３２は、送られてきた貸し手情報を貸し手情報記憶部５５に記憶する。貸し手情報記憶部５５が第２のユーザＵ２の貸し手情報をすでに記憶している場合には、送信されてきた貸し手情報によって記憶された情報を上書きして、貸し手情報を修正することができる。ＳＩＰ端末２２からは、貸し手情報記憶部５５に記憶されている貸し手情報を削除する指示を送信することもでき、この場合、貸し手情報管理部５３２は貸し手情報記憶部５５から当該貸し手情報を削除する。
【００４２】
貸し手情報管理部５３２は、第１のネットワーク１００を介して匿名データベース４０にアクセスし、ＳＩＰ端末２２の電話番号に対応する匿名（図１の例では“ＹＹＹ”）を取得する（ステップＳ３３）。
貸し手情報管理部５３２は、貸し手情報の登録が終了したことを、ＳＩＰ送信部５２を介してＳＩＰ端末２２に通知する（ステップＳ３４）。この際に、貸し手情報記憶部５５に記憶された貸し手情報及び匿名データベース４０から読み出した匿名を、確認のためにＳＩＰ端末２２に送信してもよい。ＳＩＰ端末２２のユーザＵ２は、送信されてきた情報に基づいて、貸し手情報が正しく登録されたかを確認することができる。
【００４３】
第２のユーザＵ２がＳＩＰ端末２２を操作して、登録された貸し手情報に従った金額の貸付申し込みを確定すると、ＳＩＰ端末２２からＳＩＰアプリケーションサーバ５０に申し込み確定指示が送信される（ステップＳ３５）。ＳＩＰアプリケーションサーバ５０では、ＳＩＰ受信部５１が確定指示を受信し、貸し手情報管理部５３２に送る。貸し手情報管理部５３２は、貸し手情報記憶部５５に記憶された貸し手情報にフラグをセットする等して、貸し手情報を有効化して確定する。
【００４４】
有効化された貸し手情報のうち公開可能な項目は、貸し手情報の公開処理Ｐ４によって公開される。  
ＳＩＰアプリケーションサーバ５０の情報公開処理部５３３は、有効化された貸し手情報のうち公開可能な項目を、ＳＯＡＰ／ＨＴＴＰ送信部５６を介してウェブサーバ６０に送信される（ステップＳ４１）。公開可能な項目としては、ＳＩＰ端末２２に対応する匿名、貸付金額、金利、返済期限等がある。借り手情報と同様に、ＳＩＰ端末２２の所有者名、電話番号、住所等の個人情報は公開されなくてもよい。ウェブサーバ６０に送信された情報は、第２のネットワーク上に公開される。
【００４５】
第１のユーザＵ１は、ＰＣ１１によって第２のネットワークに接続し、公開された貸し手情報を閲覧することができる（ステップＳ４２）。同様に、第２のユーザＵ２は、ＰＣ２１によって第２のネットワークに接続し、公開された借り手情報を閲覧することができる（ステップＳ４３）。公開された貸し手情報は、ＰＣ１１及びＰＣ２１に限らず、第２のネットワークに接続された装置のブラウザから閲覧することもできる。  
以上のようにして、貸し手情報の登録処理Ｐ３及び貸し手情報の公開処理Ｐ４が行われる。
【００４６】
借り手情報及び借り手情報の登録が行われると、ＳＩＰアプリケーションサーバ５０では、借り手と貸し手のマッチング（照合）が行われ、借り手に応じた貸し手が選択される。また、本実施形態では、貸し手の選択に際して借り手と貸し手が直接通信を行い、信用を確認することができる。以下では、図５を参照して、借り手と貸し手の選択、借り手と貸し手との間の通信について説明する。図５は、マッチング（照合）処理Ｐ５、通信予約処理Ｐ６、直接通信処理Ｐ７、及び通信結果登録処理Ｐ８の手順を示す図である。
【００４７】
マッチング制御部５３４は、借り手情報記憶部５４において有効化されている借り手情報と貸し手情報記憶部５５において有効化されている貸し手情報とを比較して、最適な借り手と貸し手の組み合わせを選択する（マッチング処理Ｐ５）。この際、一人の借り手に対して複数の貸し手が選択されてもよい。逆に、一人の貸し手が複数の借り手にそれぞれ金銭を貸し付けるような選択がされてもよい。
【００４８】
本実施形態では、一例として、マッチング制御部５３４はリバースオークション機能を用いて借り手に応じた貸し手を選択するものとする。リバースオークションでは、買い手が欲しい商品の条件や希望金額を提示し、売り手の間で価格入札を行わせ、最も安い価格を入札した売り手が選択される。すなわち、マッチング制御部５３４は、借り手（第１のユーザＵ１）に対して最も有利な条件（金利や返済期限）を提示した１又は複数の貸し手を選択する。複数の貸し手が選択される場合には、有利な条件を提示した順に複数の貸し手が選択される。
【００４９】
次に、お互いの信用を確認するために借り手と貸し手との間で行われる直接通信を予約するための通信予約処理Ｐ６について説明する。ここでは、第１のユーザＵ１（借り手）のＳＩＰ端末１２と第２のユーザＵ２（貸し手）のＳＩＰ端末２２との間での通信を予約する例について説明する。ＩＭＳ網においては、ＳＩＰに基づくプレゼンス機能によってＳＩＰ端末のプレゼンス情報を知ることができる。通信予約処理Ｐ６では、このプレゼンス機能を利用して、直接通信する前に貸し手と借り手の間の通信の予約が行われる。
【００５０】
まず、第１のユーザＵ１によるＳＩＰ端末１２の操作に応じて、ＳＩＰ端末１２とＳＩＰアプリケーションサーバ５０との間にＳＩＰレベルのセッションが確立される（ステップＳ５１）。セッションが確立されると、ＳＩＰ端末１２とＳＩＰアプリケーションサーバ５０との間でデータ、音声、及び映像の通信が可能となり、ＳＩＰ端末１２からＳＩＰアプリケーションサーバ５０へ、通信要求情報が送信される（ステップＳ５２）。通信要求情報には、ＳＩＰ端末１２固有の電話番号、通信したい相手（ここでは第２のユーザＵ２のＳＩＰ端末２２）、利用可能な通信手段（データ通信、音声電話又は映像によるテレビ電話）、通信可能な時刻等のプレゼンス情報が含まれる。ＳＩＰアプリケーションサーバ５０では、送られてきた通信要求情報をＳＩＰ受信部５１が受信し、通信予約処理部５３２に送る。
【００５１】
次に、ＳＩＰ端末２２とＳＩＰアプリケーションサーバ５０との間にＳＩＰレベルのセッションが確立される（ステップＳ５３）。そして、通信予約処理部５３２がＳＩＰ送信部５２からＳＩＰ端末２２へ通信要求情報を送信し、第２のユーザＵ２がＳＩＰ端末２２を操作して通信要求を受諾すると、通信予約が成立する（ステップＳ５４）。これによってＳＩＰ端末１２とＳＩＰ端末２２との間で、直接通信を行う時刻や通信手段が決定される。両者が希望する時刻や通信手段が一致しない場合、通信予約処理部５３５は、通信予約処理Ｐ６を繰り返して時刻と通信手段を決定する。この際、通信予約処理部５３５は、ＳＩＰ端末１２の所有者名、電話番号、住所等の個人情報をＳＩＰ端末２２に送信することはせず、匿名データベース４０から読み出したＳＩＰ端末１２の電話番号に対応する匿名をＳＩＰ端末２２に与える。同様に、ＳＩＰ端末２２の所有者の個人情報もＳＩＰ端末１２には送られず、匿名データベース４０から読み出されたＳＩＰ端末２２の電話番号に対応する匿名がＳＩＰ端末１２に与えられる。
【００５２】
なお、図５では借り手Ｕ１から通信の予約を要求しているが、これに限らず、貸し手Ｕ２から通信の予約を要求してもよい。
そして、予約された時刻になると、直接通信処理Ｐ７が行われる。直接通信制御部５３６は、第１のユーザＵ１のＳＩＰ端末１２及び第２のユーザＵ２のＳＩＰ端末２２に接続し、ＳＩＰ端末間での直接通信（メディアブリッジ）を制御する（ステップＳ５５）。ＳＩＰ端末間での通信は、通信予約処理Ｐ６で決定された通信手段によって行われる。第１のユーザＵ１及び第２のユーザＵ２は、例えば音声通話やテレビ電話等で直接対話することで、互いの信用度をより詳しく知ることができる。また、貸借に関する疑問や不安を解消し、契約について細かい事項についての合意を得ることもできる。
【００５３】
また、通信予約処理Ｐ６による予約がされていなくても、借り手Ｕ１のＳＩＰ端末１２と貸し手のＳＩＰ端末２２との間で直接通信することもできる。この際、プレゼンス情報によって通信相手が現在通信可能であるかどうかを知ることができ、通信できない相手に電話をかけ直したりする手間を省くことができる。
【００５４】
借り手Ｕ１と貸し手Ｕ２の間の直接通信が終了すると、通信結果登録処理Ｐ８によって、借り手情報記憶部５４に記憶された借り手情報及び貸し手情報記憶部５５に記憶された貸し手情報に、通信の結果を反映させることができる。例えば、借り手Ｕ１が貸し手Ｕ２からの貸付には応じないことを決定した場合、その旨を表す情報がＳＩＰ端末１２からＳＩＰアプリケーションサーバ５０に送られ、借り手情報管理部５３１が、借り手情報記憶部５４に記憶された借り手Ｕ１の借り手情報に追記する（ステップＳ５６）。同様に、貸し手Ｕ２が借り手Ｕ１には貸付をしないことを決定した場合、その旨を表す情報がＳＩＰ端末２２からＳＩＰアプリケーションサーバ５０に送られ、貸し手情報管理部５３２が、貸し手情報記憶部５５に記憶された貸し手Ｕ２の貸し手情報に追記する（ステップＳ５７）。
【００５５】
また、直接通信処理Ｐ７で貸付金額、返済期限、成約期限等が変更された場合、ステップＳ５６又はＳ５７でこれらの変更が借り手情報又は貸し手情報に反映される。マッチング制御部５３４は、借り手情報及び貸し手情報の変更を随時検出して、マッチング処理Ｐ５の結果に反映させる。例えば、ステップＳ５６で借り手Ｕ１が貸し手Ｕ２からの貸付には応じないことを決定した場合、マッチング制御部５３４は、借り手Ｕ１に対しては貸し手Ｕ２を選択しない。また、変更された情報は、情報公開処理部５３３によって随時ウェブサーバ６０に送信され、第２のネットワーク上に公開されてもよい。
【００５６】
以上のようにして、ＳＩＰアプリケーションサーバ５０では、借り手と貸し手のマッチングが行われ、借り手に応じた貸し手が選択される。
そして、借り手（第１のユーザＵ１）が定めた成約期限になるか、借り手（第１のユーザＵ１）がマッチングの終了を指示すると、マッチング制御部５３４によるマッチングは終了する。マッチングが終了すると、マッチング制御部５３４が選択した貸し手が対応した借り手に通知され、同様に借り手が貸し手に通知される。選択結果は第２のネットワーク上にも公開される。以下では、図６を参照して、マッチング結果の通知、及び結果の公開について説明する。図６は、結果通知処理Ｐ９、及び結果の公開処理Ｐ１０の手順を示す図である。図６では、第１のユーザＵ１（借り手）に対して第２のユーザＵ２（貸し手）が選択された例が示されている。
【００５７】
結果通知処理Ｐ９では、まず、ＳＩＰアプリケーションサーバ５０の結果通支部５３７が、第１のユーザＵ１のＳＩＰ端末１２との間でＳＩＰレベルのセッションを確立する（ステップＳ６１）。セッションが確立されると、ＳＩＰ端末１２とＳＩＰアプリケーションサーバ５０との間でデータ、音声、及び映像の通信が可能となる。
【００５８】
そして、結果通知部５３７は、第１のユーザＵ１に対して選択された貸し手（第２のユーザＵ２）の情報を、ＳＩＰ送信部５２を介してＳＩＰ端末１２へ送信する（ステップＳ６２）。また、結果通支部５３７は、第２のユーザＵ２のＳＩＰ端末２２との間にＳＩＰレベルのセッションを確立し（ステップＳ６３）、第１のユーザＵ１の情報を、ＳＩＰ送信部５２を介してＳＩＰ端末２２へ送信する（ステップＳ６４）。
【００５９】
結果の公開処理Ｐ１０では、貸し手及び借り手の選択結果（マッチングの結果）が公開される。  
貸し手及び借り手の選択結果は、情報公開処理部５３３によって、ＳＯＡＰ／ＨＴＴＰ送信部５６を介してウェブサーバ６０に送信される（ステップＳ７１）。この際、情報公開処理部５３３は、第１及び第２のユーザの名前（ＳＩＰ端末１２及び２２の所有者名）や電話番号等の個人情報をウェブサーバ６０に送信することはせず、匿名データベース４０から読み出した匿名を送信する。ウェブサーバ６０に送信された情報は、第２のネットワーク上に公開される。
【００６０】
第１のユーザＵ１は、ＰＣ１１によって第２のネットワークに接続し、公開されたマッチング結果を閲覧することができる（ステップＳ７２）。同様に、第２のユーザＵ２は、ＰＣ２１によって第２のネットワークに接続し、公開されたマッチング結果を閲覧することができる（ステップＳ７３）。公開されたマッチング結果は、ＰＣ１１及びＰＣ２１に限らず、第２のネットワークに接続された装置のブラウザから閲覧することもできる。
【００６１】
以上のようにして、本実施形態によれば、貸し手と借り手の個人間での金銭貸借の安全に成約することができる。具体的には、匿名データベース４０が、ＳＩＰに基づく第１のネットワーク１００（ＩＭＳ網）に接続する各ＳＩＰ端末の電話番号（識別ＩＤ）及び対応する匿名を保持し、ＳＩＰ端末の所有者名ではなく、この匿名が第２のネットワーク上に公開される。金銭貸借の成約は、ＳＩＰアプリケーションサーバ５０によって仲介される。ＳＩＰアプリケーションサーバ５０の借り手情報管理部５３１は、借り手Ｕ１のＳＩＰ端末１２から送信され、ＳＩＰ端末１２の所有者名、識別ＩＤ、及び借入金額を含む借り手情報を借り手情報記憶部５４に記憶させる。また、借り手情報管理部５３１はＳＩＰ端末１２の識別ＩＤに対応する匿名を匿名データベース４０から読み出す。読み出された匿名は、ＳＩＰ端末１２の所有者名と識別ＩＤを除く借り手情報と共に、情報公開処理部５３３によって第２のネットワーク上に公開される。公開された借り手情報に応じて、貸し手Ｕ２のＳＩＰ端末２２からは、貸付金額及び貸付条件を含む貸し手情報が第１のネットワークを介して送信される。ＳＩＰアプリケーションサーバ５０の貸し手情報管理部５３３２は、この貸し手情報を貸し手情報記憶部５５に記憶させる。貸し手はＵ２に限らず複数いてもよい。マッチング制御部５３４は、借り手情報に対して最も有利な貸付条件を提示する貸し手を選択する。このため、借り手の氏名や電話番号等の個人情報を公開することなく、安全に金銭貸借の契約を仲介することができる。
【００６２】
また、第２のネットワーク２００（インターネット）上でも、リバースオークションの実施状況がリアルタイムに公開され、リバースオークションに参入しやすくなっている。
更に、直接通信制御部５３６によって、金銭の貸し借りをする貸し手候補、借り手候補がデータ、音声、又は映像で直接通信することで、お互いの信用を確認できる。このため、より安心して個人間で金銭を貸し借りすることができるようになる。また、通信予約処理部５３５によって、ＳＩＰによる通信のリアルタイム性を活かし、直接の貸し手と借り手間の直接通信の時刻と手段とを予約することも可能となる。
【００６３】
加入者データベース（ＨＳＳ）３０には、ＩＭＳ網加入者の氏名、住所、端末の識別情報等の加入者の個人情報が記憶されている。このため、仮に、貸し手や借り手がなんらかの不正、問題を起こしたとしても、その端末の識別ＩＤから個人情報を特定することができる。このため、ユーザはより安心して仲介システムを利用することができる。
【００６４】
上述の実施形態では、借り手に対して貸し手が貸付を申し出て、借り手に最も有利な貸し手をリバースオークションで選択した。しかしながら、本貸借仲介システムは、貸し手に対して借り手が借入を申し込むように構成されてもよい。この場合、貸し手登録処理Ｐ３と貸し手情報の公開処理Ｐ４が行われた後に、借り手登録処理Ｐ１と借り手情報公開処理Ｐ２が行われる。また、マッチング処理Ｐ５では、リバースオークションではなく、通常のオークションが行われる。
また、上述の実施形態では、匿名データベース４０及びウェブサーバ６０がＳＩＰアプリケーションサーバ５０とは別個に設けられていたが、これらの機能がＳＩＰアプリケーションサーバ５０内で実現されてもよい。
【００６５】
上述の実施形態では、金銭の貸借を仲介する仲介システムについて説明したが、本貸借仲介システムは、金銭に限らず、他の物品の貸借の仲介に用いられてもよい。
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【００６６】
また、本発明は、コンピュータに所定の手段を実行させるため、コンピュータを所定の手段として機能させるため、コンピュータに所定の機能を実現させるため、あるいはプログラムを記録したコンピュータ読取り可能な記録媒体としても実施することもできる。
【符号の説明】
【００６７】
１１…ＰＣ、１２…ＳＩＰ端末、２１…ＰＣ、２２…ＳＩＰ端末、３０…加入者データベース、４０…匿名データベース、５０…ＳＩＰアプリケーションサーバ、６０…ウェブサーバ、１００…ＩＭＳネットワーク、２００…インターネット。
【図１】
2010278771.tif 000003
【図２】
2010278771.tif 000004
【図３】
2010278771.tif 000005
【図４】
2010278771.tif 000006
【図５】
2010278771.tif 000007
【図６】
2010278771.tif 000008